(57)【要約】   ユーザにとってより使い勝手が良い映像投射機能付き照明装置を提供する。照明装置は、照明光を発する照明ユニットと、映像を投射する投射型映像表示ユニットと、更に、水平度を調整可能に天井面から吊り下げる構造を備えており、投射型映像表示ユニットは、水平度の調整をガイドするための画像を表示する。
2017085800.tif 000002
【特許請求の範囲】
【請求項１】
照明光を発する照明ユニットと、
画像を投射する投射型映像表示ユニットと、
を備えた照明装置であって、
前記照明装置を、その水平度を調整可能に、天井面から少なくとも３点以上で吊り下げる構造を有しており、
前記投射型映像表示ユニットは、前記天井面に取り付けられた前記照明装置の投射面に対する水平度の調整をガイドするための画像を表示する機能を有する、照明装置。
【請求項２】
請求項１に記載の照明装置において、
前記投射型映像表示ユニットは、前記天井面に取り付けられた前記照明装置の投射面に対する水平度を検知する手段を有しており、前記水平度を検知する手段により検知された水平度に基づいて、生成された水平度の調整をガイドするための前記画像を投射する、照明装置。
【請求項３】
請求項２に記載の照明装置において、
前記水平度を検知する手段は、前記投射型映像表示ユニットから投射された画像を検知するカメラである、照明装置。
【請求項４】
請求項２に記載の照明装置において、
前記水平度を検知する手段は、重力センサーである、照明装置。
【請求項５】
請求項１に記載の照明装置において、
前記投射型映像表示ユニットにより投射される前記水平度の調整をガイドするための画像は、調整を行う位置の表示を含む、照明装置。
【請求項６】
請求項５に記載の照明装置において、
前記前記水平度の調整をガイドするための画像は、調整を行う方向の表示を含む、照明装置。
【請求項７】
請求項２に記載の照明装置において、
前記投射型映像表示ユニットにより投射される前記水平度の調整をガイドするための画像は、前記水平度を検知する手段により検知された前記照明装置の水平度に基づいた指示を含む、照明装置。
【請求項８】
請求項７に記載の照明装置において、
前記水平度に基づいた指示は、予め設定可能である、照明装置。
【請求項９】
請求項１に記載の照明装置であって、
前記照明装置を、前記天井面から吊り下げる前記構造は、少なくとも３本以上の吊り下げ部材からなり、そのうちの少なくとも２本またはそれ以上が、長さ調整可能である、照明装置。
【請求項１０】
請求項１に記載の照明装置であって、
前記天井面から吊り下げた前記照明装置を回転角度方向に調整可能な構造を有する、照明装置
【発明の詳細な説明】
【技術分野】
【０００１】
本発明は、照明装置に関する。
【背景技術】
【０００２】
天井に取り付けて使用する照明器具としては、例えば、以下の特許文献１（特開平５−１０９３０９号公報）によれば、予め天井に取り付けられている電源線を利用して天井から吊り下げて使用する吊り下げ型（または、ペンダント型とも言う）照明装置が既に知られている。更に、天井や壁面に取り付けて、各種の機能を利用することができる通信機能モジュールをシーリングライトに取り付ける技術が、以下の特許文献２（特開２００３−１６８３１号公報）に開示されている。
【先行技術文献】
【特許文献】
【０００３】
【特許文献１】特開平５−１０９３０９号公報
【特許文献２】特開２００３−１６８３１号公報
【発明の概要】
【発明が解決しようとする課題】
【０００４】
しかしながら、特許文献１には、プロジェクタを、特に、吊り下げ型の照明器具に一体に組み込んで当該プロジェクタの点灯と照明光用光源の発光を行うことや装置については一切開示されていない。また、特許文献２においても、プロジェクタは、そのブロック図や簡易的な外形が開示されるのみであり、特に、上述した吊り下げ型照明器具と一体に組み込んだプロジェクタの光学的な特性や性能について考慮した技術については開示されていない。【０００５】
即ち、上述した従来技術では、プロジェクタを照明器具、特に、吊り下げ型の照明器具に一体に組み込んだ場合における後にも詳細に述べる問題点についての考慮は未だ不十分であった。【０００６】
そこで、本発明は、上述した従来技術における問題点に鑑みて達成されたものであり、その目的は、ユーザにとってより使い勝手が良い映像投射機能付き照明装置を提供することにある。
【課題を解決するための手段】
【０００７】
上記の目的を達成するための一実施の態様として、照明光を発する照明ユニットと、画像を投射する投射型映像表示ユニットと、を備えた照明装置であって、前記照明装置を、その水平度を調整可能に、天井面から少なくとも３点以上で吊り下げる構造を有しており、前記投射型映像表示ユニットは、前記天井面に取り付けられた前記照明装置の投射面に対する水平度の調整をガイドするための画像を表示する機能を有するように構成すればよい。
【発明の効果】
【０００８】
本発明によれば、ユーザにとってより使い勝手が良い映像投射機能付き照明装置を提供することができる。
【図面の簡単な説明】
【０００９】
【図１】本発明の一実施の形態に係る照明装置の外観構成を、その使用環境と共に示した斜視図である。
【図２】（Ａ）、（Ｂ）は本発明の一実施の形態に係る照明装置の筐体内における光学ユニットと照明用光源のレイアウト（配列）の一例を説明する側面図と下面図である。
【図３】本発明の一実施の形態に係る照明装置の内部構成の一例を示すブロック図である。
【図４】本発明の一実施の形態に係る照明装置の、特に、投射型映像表示ユニットの機能を実行した場合の問題点について説明する図である。
【図５】本発明の一実施の形態に係る照明装置の課題を解決するための水平調整機構の原理について説明する図である。
【図６】（Ａ）、（Ｂ）は本発明の一実施の形態に係る照明装置の水平調整機構を説明する側面図と上面図である。
【図７】（Ａ）〜（Ｄ）は上記水平調整機構によるｘ座標方向の傾きの調整について説明する図である。
【図８】（Ａ）〜（Ｄ）は上記水平調整機構によるｙ座標方向の傾きの調整について説明する図である。
【図９】（Ａ）、（Ｂ）は本発明の一実施の形態に係る照明装置の他の水平調整機構を説明する側面図と上面図である。
【図１０】（Ａ）〜（Ｄ）は上記他の水平調整機構による調整過程について説明する図である。
【図１１】（Ａ）、（Ｂ）は上記水平調整機構による調整の際に用いられる表示画面の一例を示す図である。
【図１２】上記水平調整機構による調整の際に用いられる表示画面の他の例を示す図である。
【図１３】（Ａ）〜（Ｃ）は本発明の一実施の形態に係る照明装置の自動化した水平調整機構を説明する照明装置の上面図、投射型映像表示ユニットの投射画像、操作パネルを示すである。
【図１４】本発明の一実施の形態に係る照明装置のインタラクティブ機能を利用した調整のための構成の一例を示す図である。
【図１５】上記インタラクティブ機能を利用した照明装置の外観構成を示した斜視図である。
【図１６】（Ａ）〜（Ｄ）は上記したインタラクティブ機能を利用した照明装置の水平調整機構の調整プロセスの一例を示す図である。
【図１７】（Ａ）、（Ｂ）は上記したインタラクティブ機能を利用した照明装置の水平調整機構の他の例を示す図である。
【図１８】（Ａ）、（Ｂ）は上記したインタラクティブ機能を利用した照明装置の他の水平調整機構における調整プロセスの例を示す図である。
【図１９】（Ａ）、（Ｂ）は上記したインタラクティブ機能を利用した照明装置で使用する重力センサーの照明装置への搭載例である。
【図２０】（Ａ）、（Ｂ）は上記照明装置に重力センサーを利用した場合における表示の一例を示す図である。
【図２１】（Ａ）、（Ｂ）は上記照明装置に重力センサーを利用した場合における表示の他の例を示す図である。
【図２２】本発明の一実施の形態に係る水平調整可能な取り付（吊下げ）構造（３点止め構造）を備えた照明装置の斜視図である。
【図２３】（Ａ）、（Ｂ）は上記水平調整可能な取り付（吊り下げ）構造を備えた照明装置の正面図と側面図である。
【図２４】上記水平調整可能な取り付（吊下げ）構造を構成する部材の一部を拡大して示す一部拡大断面である。
【図２５】他の水平調整可能な取り付（吊下げ）構造（３点止め構造）を備えた照明装置の斜視図である。
【図２６】（Ａ）、（Ｂ）は上記他の水平調整可能な取り付（吊り下げ）構造（３点止め構造）を備えた照明装置の正面図と側面図である。
【図２７】更に他の水平調整可能な取り付（吊下げ）構造（４点止め構造）を備えた照明装置の斜視図である。
【図２８】（Ａ）、（Ｂ）は本発明の一実施の形態に係る照明装置の回転角度の調整機構の一例を示す上面図である。
【発明を実施するための形態】
【００１０】
以下、本発明の実施の形態について、添付の図面を参照しながら、詳細に説明する。
【００１１】
＜ペンダント型の映像投射機能付き照明装置＞
まず、添付の図１は、本発明の一実施の形態に係る映像投射機能付き照明装置の外観構成を示している。即ち、天井面から吊り下げるような形態で取り付けられる、所謂、ペンダント型と呼ばれる照明装置に映像投射機能を搭載した映像投射機能付き照明装置を示している。
【００１２】
図１からも明らかなように、本実施の形態の映像投射機能付き照明装置１０は、例えば、キッチン、ダイニングルーム、または、居間、オフィス等の空間を構成する天井面５０４４などに取り付けて使用される。より具体的には、図１にも示すように、室内に設置されたテーブルや机などの上方において、所定の高さに設置される。この映像投射機能付き照明装置１０は、テーブルや机の上面または壁面などに照明光を照射する照明機能と、当該テーブルまたは机などの上面（表示面または投射面）６１に様々な映像を投射して表示する映像投射機能と両方有する照明装置である。なお、図１における符号５０４１〜５０４４は、ペンダント型の照明装置１０を天井面５０４４から所望の位置に吊り下げた状態で保持するための保持具を示しており、その詳細については以下にも述べる。また、映像投射機能付き照明装置１０は、その内部に、以下にも詳述する投射型映像表示ユニット１００（なお、ここでは全体を参照符号１００で示す）を搭載している。
【００１３】
映像投射機能で映像を投射したい水平面テーブルまたは机などは、映像投射機能を用いない状態で使用する際などに照明機能で照明する対象になる可能性が高い。よって、前記映像投射機能で映像を投射する領域と前記照明機能の照明光の照明範囲は少なくとも一部が重畳することが望ましい。なお、この図では、表示面６１上に投射された投射面のｘ軸方向とｙ軸方向が、ＬｘとＬｙにより示されている。
【００１４】
また、映像投射機能付き照明装置１０は、後述する各種制御部を搭載することにより、照明機能の照明光と映像投射機能で投射する映像とはそれぞれＯＮ／ＯＦＦできるように構成するのが望ましい。
【００１５】
また、壁などに取り付けた操作パネル７０（壁面操作入力部）から操作信号を有線または無線で映像投射機能付き照明装置の各種制御部に送信して、照明機能の照明光と映像投射機能で投射する映像のＯＮ／ＯＦＦを制御してもよい。また、符号１９０は、商用電源からの電力や操作パネル７０からの操作信号等を照明装置１０に供給するためのコンセントを示している。
【００１６】
次に、図２には、上記映像投射機能付き照明装置１０の投射型映像表示ユニット１００を構成する光学ユニット３０と照明光源の具体的なレイアウト（配列）を示す。なお、この図の例においては、複数の半導体発光素子（ＬＥＤ）２２が集合体を含む照明用光源全体を照明用光源２０として説明している。
【００１７】
図２（Ａ）および（Ｂ）は、ペンダント型の映像投射機能付き照明装置１０の側面断面と下面図である。この例では、光学ユニット３０が縦置きレイアウトで配置されている。また、本体である筺体（シェード）１１の内側の底面には、複数の半導体発光素子（ＬＥＤ）２２を備えた照明用光源２０の基板２１が取り付けられている。更に、図２（Ａ）の下側の開口面にはこれを覆うように、拡散板１２が取り付けられている。
【００１８】
また、筺体（シェード）１１と拡散板１２で形成される空間には、光学ユニット３０が、照明光束の略中央部に位置するように配置されている。この図の例では、拡散板１２において、光学ユニット３０から下向きに投射光が出射される位置には、開口部または透過窓１４が設けられる。開口部または透過窓を設けず拡散板１２の全面に拡散効果があると光学ユニット３０から出射される投射映像まで拡散してしまい、テーブルや机などの映像投射対象面上で映像が結像できなくなってしまうからである。
【００１９】
開口部または透過窓１４の部分は、拡散板１２を切り欠いた開口でもよく、拡散効果のないガラスなどの透過性物質でもよい。透過性物質などで形成する透過窓の場合は、拡散板１２内に埃などが入りにくい構成にすることができるが、光学ユニット３０から出射される投射映像に極力影響を与えないように、光学ユニット３０から出射される投射光が有する波長域において極力分光特性が平坦な特性のコーティングを施すべきである。
【００２０】
なお、開口部または透過窓１４の周囲は、直接拡散板１２とつながっている必要はなく、拡散板１２上の光学ユニット３０の影を見えにくくするために、開口部または透過窓１４と拡散板１２の間に化粧板などの領域を設けてもよい。即ち、開口部または透過窓１４とは、筺体（シェード）１１と拡散板１２で形成される空間に配置される光学ユニット３０から投射される映像投射光が出射するために必要な通過口または透過口であり、その位置は、拡散板１２であってもその他の構造物の一部であってもよい。
【００２１】
このようなレイアウト（配列）によれば、光学ユニット３０を水平面に平行な方向に薄型化できるので、照明用光源２０から拡散板１２への照明面積に対し、光学ユニット３０により形成される影の割合を小さくすることが可能となる。このことにより、拡散板１２上に形成される光学ユニット３０の影の影響で照明装置としての見た目の品位が低下（即ち、拡散板１２上の影による照明装置として違和感）してしまうことを抑制することが可能となる。また、上記の筺体（シェード）１１を拡散板で形成した場合にも、光学ユニット３０の影が目立たず、照明装置としての見た目の品位の低下を抑制することが可能となる。
【００２２】
なお、図２には、紐引き型トグルスイッチを取り付ける場合の例を合わせて示している。図２には、紐引き型トグルスイッチの紐部分９０（繊維、金属チェーン、または合成樹脂チェーンなどで構成すればよい。）と、先端部分９１が示されている。紐引き型トグルスイッチを取り付ける場合は、図２に示すように、先端部分９１が照明用光源２０の照明光の拡散範囲内であって、投射型映像表示ユニット１００の光学ユニット３０からの投射映像の照射領域外になる様にレイアウトすることが望ましい。紐引き型トグルスイッチを筺体（シェード）１１の下方向に取り付けることにより映像投射機能付き照明装置の小型化が図れるため、紐引き型トグルスイッチの紐部分９０や先端部分９１は照明用光源２０の照明光の拡散範囲内に配置する。
【００２３】
このとき、図２に示すように、照明用光源２０の照明光の光源として複数の半導体発光素子用いる場合、紐引き型トグルスイッチの紐部分９０や先端部分９１は複数の方向から光を照射されるため、照明用光源２０の照明光の光源に対して紐引き型トグルスイッチの紐部分９０や先端部分９１が生じさせる影は複数の異なる照射角度の光線により薄まって目立たなくなるため、品位上問題は生じにくい。これに対し、光学ユニット３０からの投射映像の光は、いずれも光学ユニット３０の出射口から出射されるものである。よって、紐引き型トグルスイッチの紐部分９０や先端部分９１が光学ユニット３０からの投射映像の照射領域にあると、紐引き型トグルスイッチの紐部分９０や先端部分９１が該投射映像に対して生じる影の部分は映像が欠落することになり、品位が非常に悪くなる。
【００２４】
したがって、映像投射機能付き照明装置に紐引き型トグルスイッチを取り付ける場合は、各図に示すように、先端部分９１が照明用光源２０の照明光の拡散範囲内であって、投射型映像表示ユニット１００の光学ユニット３０からの投射映像の照射領域外になる様にレイアウトすることが望ましい。
【００２５】
＜映像投射機能付き照明装置の内部構成＞
図３は、映像投射機能付き照明装置３００の内部構成の一例を示すブロック図である。映像投射機能付き照明装置３００には、映像投射機能を有する投射型映像表示ユニット１００と照明光照射機能を有する照明ユニット２００が含まれている。
【００２６】
操作信号入力部３０１は、操作ボタンやリモコンの受光部であり、ユーザからの操作信号を入力する。人感センサー３０２は、赤外線、超音波、可視光などを用いて、映像投射機能付き照明装置３００周辺または映像投射機能付き照明装置３００が設置された室内における人間の有無を判別するセンサーである。人感センサー３０２自体は、以下の説明で特に断りがない限りは、既存の技術の人感センサーを用いればよい。音声操作入力部３０３は、映像投射機能付き照明装置３００の周囲の音声を集音して音声認識処理を行い、音声認識処理の結果を操作信号に変換する。音声操作入力部３０３で生成した操作信号は、映像投射機能付き照明装置３００の各部の操作に用いられる。
【００２７】
操作検出センサー３５０は、表示面６１上の映像投射領域を含む範囲を撮影するカメラを含んでおり、赤外光成分などの非可視光を検出することで、操作物による反射光を検知することができる。なお、操作検出センサー３５０の光学フィルターのカット波長を可視光波長域に設定する（例えば、赤色可視光領域の途中に設定する）ことで、赤外光以外の一部の可視光成分（即ち表示画面の投射映像）を赤外光成分とともに撮影することも可能である。操作検出センサー３５０からの入力は、映像投射領域付近でのユーザの手のジェスチャ操作の判別処理などに用いられる。
【００２８】
状態出力部３０４は、（１）照明ユニット２００の照明光のＯＮ／ＯＦＦなどの点灯状態、（２）照明ユニット２００の照明光は点灯していないが照明ユニット２００自体は動作しているスタンバイ状態、（３）照明ユニット２００のエラー状態、（４）投射型映像表示ユニット１００の光源のＯＮ／ＯＦＦなどの点灯状態、（５）投射型映像表示ユニット１００の光源は点灯していないが投射型映像表示ユニット１００自体は動作しているスタンバイ状態、（６）投射型映像表示ユニット１００のエラー状態、（７）人感センサー３０２の動作状態（動作中か否か）、（８）音声操作入力部３０３の動作状態（動作中か否か）、（９）操作検出センサー３５０の動作状態（動作中か否か）などを出力または表示するものである。
【００２９】
状態出力部３０４はこれらの複数種類の状態を、複数個のＬＥＤインジケータの色や発光周期等を変えることによって示すように構成してもよい。また、状態出力部３０４はこれらの複数種類の状態を液晶モニタ、有機ＥＬモニタ、その他の方式のモニタなどで文字やマーク等を表示する構成にしてもよい。
【００３０】
以上説明した、操作信号入力部３０１、人感センサー３０２、音声操作入力部３０３、操作検出センサー３５０、状態出力部３０４などは、それぞれ、投射型映像表示ユニット１００の制御部と照明ユニット２００の制御部と情報を送受信できるように構成してもよい。これにより、操作信号入力部３０１、人感センサー３０２、音声操作入力部３０３、操作検出センサー３５０などの入力は、投射型映像表示ユニット１００および照明ユニット２００の両者でそれぞれ処理に用いることができる。また、状態出力部３０４は、投射型映像表示ユニット１００および照明ユニット２００の両者の状態を同じＬＥＤインジケータやモニタで纏めて示すことが可能となる。
【００３１】
次に、投射型映像表示ユニット１００の構成を説明する。投射光学系１０１は、映像を表示面６１へ投射する光学系で、レンズおよび／またはミラーを含む。表示素子１０２は、透過する光または反射する光を変調して映像を生成する素子で、例えば、透過型液晶パネル、反射型液晶パネル、ＤＭＤ（Ｄｉｇｉｔａｌ  Ｍｉｃｒｏｍｉｒｒｏｒ  Ｄｅｖｉｃｅ：登録商標）パネル等を用いる。表示素子駆動部１０３は、表示素子１０２に対して映像信号に応じた駆動信号を送る。
【００３２】
光源１０５は映像投射用の光を発生するもので、高圧水銀ランプ、キセノンランプ、ＬＥＤ光源、レーザー光源等を用いる。電源１０６は、外部から入力されるＡＣ電流をＤＣ電流に変換して、光源１０５に電力を供給する。更に、電源１０６は、その他各部にそれぞれ必要なＤＣ電流を供給する。
【００３３】
照明光学系１０４は、光源１０５で発生した光を集光し、より均一化して表示素子１０２に照射する。冷却部１１５は、光源１０５、電源１０６または表示素子１０２など、高温状態になる各部位を空冷方式や液冷方式で必要に応じて冷却する。操作信号入力部１０７は、操作ボタンやリモコンの受光部であり、ユーザからの操作信号を入力する。操作信号入力部１０７は、図１の操作パネル７０からの赤外線信号や無線信号を受信してもよい。照明装置３００の操作信号入力部３０１からの信号が投射型映像表示ユニット１００に入力される場合には、操作信号入力部１０７がない構造にしてもよい。
【００３４】
映像信号入力部１３１は、外部の映像出力装置を接続して映像データを入力する。音声信号入力部１３３は、外部の音声出力装置を接続して音声データを入力する。音声出力部１４０は、音声信号入力部１３３に入力された音声データに基づいた音声出力を行うことが可能である。また、音声出力部１４０は内蔵の操作音やエラー警告音を出力してもよい。通信部１３２は、例えば、外部の情報処理装置と接続し、各種の制御信号を入出力する。通信部１３２は、図１の操作パネル７０と有線通信または無線通信をしてもよい。
【００３５】
不揮発性メモリ１０８は、プロジェクタ機能で用いる各種データを格納する。不揮発性メモリ１０８に格納されるデータには、後述するインタラクティブ機能における各種操作用のデータ、表示アイコン、後述するキャリブレーション用のデータなども含まれる。メモリ１０９は、投射する映像データや装置の制御用データを記憶する。制御部１１０は、接続される各部の動作を制御する。また、制御部１１０は、操作信号入力部３０１、人感センサー３０２、音声操作入力部３０３、操作検出センサー３５０などと情報を入出力し、これらを制御してもよい。
【００３６】
インタラクティブ機能部１２０は、ユーザが発光ペンや指を操作することで、映像領域へ文字や図形を書き込むなどのインタラクティブ動作を行う部分である。そのために、操作検出センサー３５０から取得した赤外線画像を解析して発光ペンや指の位置（ユーザが操作した位置）を算出する機能や、投射映像中に操作アイコンを合成したり、ユーザの操作に基づいて描画処理等を行うアプリケーションや、外部の映像出力装置から入力される映像等の操作を行うアプリケーションなど、発光ペンや指により操作可能なアプリケーションを実行する機能などを有する。
【００３７】
ここで、操作検出センサー３５０の撮影範囲と、表示面６１に投射された映像（表示素子１０２の映像領域の表示面６１上での光学像）の範囲とが、一致することはまずない。よって、ユーザが操作（描画）した位置を算出する際に、操作検出センサー３５０の撮影範囲での座標と、表示面６１に投射された映像中の座標位置を変換する必要がある。よって、インタラクティブ機能部１２０は、当該変換の処理および当該変換処理のための変換テーブルデータ（キャリブレーションデータ）を作成するための処理を行う機能などを有する。
【００３８】
画像調整部１６０は、映像信号入力部１３１で入力した映像データに対して画像処理を行うものである。当該画像処理としては、例えば、画像の拡大、縮小、変形等を行うスケーリング処理、輝度を変更するブライト調整処理、画像のコントラストカーブを変更するコントラスト調整処理、画像を光の成分に分解して成分ごとの重み付けを変更するレティネックス処理等がある。
【００３９】
ストレージ部１７０は、映像、画像、音声、各種データなどを記録するものである。例えば、製品出荷時に予め映像、画像、音声、各種データなどを記録しておいてもよく、通信部１３２を介して外部機器や外部のサーバ等から取得した映像、画像、音声、各種データなどを記録してもよい。ストレージ部１７０に記録された映像、画像、各種データなどは、表示素子１０２と投射光学系１０１を介して投射映像として出力すればよい。ストレージ部１７０に記録された音声は音声出力部１４０から音声として出力すればよい。
【００４０】
以上説明したように、投射型映像表示ユニット１００には様々な機能を載せることが可能である。しかしながら、投射型映像表示ユニット１００は必ずしも上述した構成の全てを有する必要はない。映像を投射する機能があればどのような構成でもよい。
【００４１】
次に、照明ユニット２００の構成の詳細について、以下に説明する。
【００４２】
制御部２０１は、接続される各部を制御する。また、制御部２０１は、操作信号入力部３０１、人感センサー３０２、音声操作入力部３０３、操作検出センサー３５０などと情報を入出力し、これらを制御してもよい。操作信号入力部２０３は、操作ボタンやリモコンの受光部であり、ユーザからの操作信号を入力する。操作信号入力部２０３は、図１の操作パネル７０からの赤外線信号や無線信号を受信してもよい。照明装置３００の操作信号入力部３０１からの信号が照明ユニット２００に入力される場合には、操作信号入力部２０３がない構造にしてもよい。不揮発性メモリ２０４は、照明ユニット２００で用いる各種データを格納する。
【００４３】
電源２０２は、外部から入力されるＡＣ電流をＤＣ電流に変換して、発光素子ドライバ（２１０、２２０など）に電力を供給する。更に電源２０２は、その他各部にそれぞれ必要なＤＣ電流を供給する。発光素子ドライバ（２１０、２２０など）は、電源２０２から供給される電力を用い、制御部２０１の制御に基づいて発光素子（２１１、２１２、２１３、２２１、２２２、２２３など）を発光する。当該発光素子が、照明ユニット２００の発する照明光の光源となる。
【００４４】
例えば、図３の例では、発光素子ドライバＡ２１０は、直列で接続したｎ個の発光素子Ａ１、Ａ２、・・・、Ａｎ（２１１、２１２、２１３など）を纏めて駆動する。発光素子ドライバＡ２１０は、制御部２０１の制御に基づいて、これらの発光素子の輝度や色などを変更する。同様に、発光素子ドライバＢ２２０は、直列で接続したｍ個の発光素子Ｂ１、Ｂ２、・・・、Ｂｍ（２２１、２２２、２２３など）を纏めて駆動する。発光素子ドライバＢ２２０は、制御部２０１の制御に基づいて、これらの発光素子の輝度や色などを変更する。このように構成することにより、発光素子ドライバごとに複数の発光素子の輝度や色を変える制御が可能となる。図３の例では、発光素子ドライバと複数の発光素子のセットを２つの例を示したが、１つでも３つ以上でも構わない。必要に応じて増減すればよい。
【００４５】
以上説明した構成により、照明ユニット２００は、輝度および／または色が可変の照明光を発することができる。
【００４６】
＜プロジェクタ出射面の傾きと投射画面の調整＞
続いて、以上説明した本実施の形態の映像投射機能付き照明装置１０において、投射型映像表示ユニット１００（上記の図１を参照）により、例えば机の上面（表示面）６１へ情報を表示する機能を実行した場合の課題について、以下に図４を用いて説明する。
【００４７】
図４に示すように、映像投射機能付き照明装置１０が表示面６１に対して平行に取り付けられた場合には、例えば、ｘ座標（図１のＬｘを参照）は、以下の関係を満たすように表示され、問題はない。
Ｌｘ＝Ｉｔａｎθ
しかしながら、図に破線で示すように、照明装置１０が表示面６１に対して傾斜角：Δθだけ傾斜して取り付けられた場合には、表示面６１上に表示されるＬｘは、以下のようになる。
Ｌ’ｘ＝Ｉｔａｎ（θ−Δθ）＋ＩｔａｎΔθ
Ｌ’ｘ＜Ｌｘ
即ち、投射型映像表示ユニット１００がｘ座標上で前傾した場合には、投射面（Ｌｘ）は縮む。また、ｙ座標（図１のＬｙを参照）上で傾斜した場合にも同様であり、即ち、表示面６１上において投射面が歪むこととなり、好ましくない。
【００４８】
そこで、本実施の形態では、照明装置１０に水平度を調整可能とする水平調整機構を備えることにより上述した課題を解決するものであり、以下にその原理について、図を参照しながら説明する。なお、以下の説明では、説明を簡単にするため、図５に示すように、照明装置１０の天板５０００の４か所には、それぞれ、例えば、ピアノ線などの剛性の高い糸状のワイヤを取り付け、これら４本のワイヤ５０４１〜５０４４を天井に固定し、これら４本のワイヤ５０４１〜５０４４は、後のも詳細に述べるが、それぞれ、その長さは調整可能となっている。
【００４９】
＜手動による調整＞
これら４本のワイヤ５０４１〜５０４４を含む調整機構（具体的な構造については後に説明する）を照明装置１０の側面と上面から見たのが図６（Ａ）および６（Ｂ）であり、特に、図６（Ｂ）では、これらの４本のワイヤ５０４１〜５０４４は、天板５０００の中心を通るｘ座標とｙ座標によって分けられた４つに分割された領域に取り付けられており、更に、各ワイヤの調整機構を、ここでは説明の便宜上、摘み（ボタン）ａｄｊＡ、ａｄｊＢ、ａｄｊＣ、ａｄｊＤとして示している。なお、これら調整機構である摘み（ボタン）ａｄｊＡ、ａｄｊＢ、ａｄｊＣ、ａｄｊＤは、これを右に回す（時計回り）ことにより各ワイヤの長さは短くなり、他方、これを左に回す（反時計回り）ことにより各ワイヤの長さは長くなるものとする。これによれば、上記図５に矢印で示すように、各ワイヤは上下方向に長さが調整でき、もって、天板５０００を水平に調整し、照明装置１０の投射型映像表示ユニット１００を水平（正常）な状態にすることが可能となる。
【００５０】
図７には、特に、ｘ座標方向の傾きの調整の例について説明する。但し、ここでは、ｙ座標方向の傾きはない（または、調整済み）ものとする。
【００５１】
図７（Ａ）には、調整前の、即ち、ｘ座標の方向に傾きを有する照明装置１０の投射型映像表示ユニット１００からの投射画像が示されており、この図からも明らかなように、下辺の頂点の位置が本来の位置からずれて頂点Ｄ’および頂点Ｃ’となっており、辺Ｃ’ Ｄ’が辺ＡＢより短い状態で台形状に歪んでいる。即ち、ワイヤ５０４３、５０４４が長い状態になっている。そこで、摘み（ボタン）ａｄｊＤを時計回りに回転することにより、ワイヤ５０４３の長さを短くすることができ、図７（Ｂ）に示すように、その形状が補正され、そして、図の頂点Ａが概ね９０度になったら調整を止める。続いて、摘み（ボタン）ａｄｊＣを時計回りに回転することにより、ワイヤ５０４４の長さを短くすることができ、図７（Ｃ）に示すように、その形状が同様に補正され、図の頂点Ｂが概ね９０度になったら調整を止める。その結果、図７（Ｄ）に示すように、投射型映像表示ユニット１００の傾斜が補正されて長方形（正方形を含む）の投射画像が得られる。
【００５２】
このことはｙ座標方向の傾きの調整についても同様であり、その調整工程を図８（Ａ）〜（Ｄ）に示す。即ち、投射型映像表示ユニット１００のｙ座標の方向の傾斜が補正されて長方形（正方形を含む）の投射画像が得られる。
【００５３】
また、上記した４本のワイヤに替えて、３本のワイヤにより照明装置１０を天井から吊り下げる場合の水平調整機構とその調整過程について図９および図１０に示す。この場合、図９（Ａ）および（Ｂ）にも示すように、３本のワイヤは、その１本のワイヤ５０２１は天板５０００の中心を通るｘ座標（または、ｙ座標）上に固定され、残りの２本のワイヤ５０２２、５０２３は、ｙ座標に平行、かつ、上記ワイヤ５０２１の固定位置とは反対側に固定される。そして、この場合には、ワイヤ５０２１の長さは固定であり、残りの２本のワイヤ５０２２、５０２３が可変（長さ調整可能）となっており、これら残りの２本のワイヤ５０２２、５０２３に上述した摘み（ボタン）ａｄｊＥ、ａｄｊＦが取り付けられて調整機構が構成されている。
【００５４】
図１０（Ａ）には、調整前の投射型映像表示ユニット１００からの歪んだ投射画像が示されており、図１０（Ｂ）に示すように、摘み（ボタン）ａｄｊＥを時計回りに回転することにより、頂点Ｅ’を本来の位置Ｅに戻して頂点Ａが概ね９０度になったら調整を止める。次に、摘み（ボタン）ａｄｊＦを時計回りに回転することにより、頂点Ｆ’を本来の位置Ｆに戻して、全頂点Ａ〜Ｆが概ね９０度になったら調整を止める。その結果、図１０（Ｄ）に示すように、投射型映像表示ユニット１００の傾斜が補正されて長方形（正方形を含む）の投射画像が得られる。
【００５５】
なお、上記の調整の際には、照明装置１０の投射型映像表示ユニット１００をＯＮ状態にして表示面６１上に長方形（正方形を含む）の投射画像が得られるようにするが、その際、上記投射型映像表示ユニット１００を利用することによれば、同時に、図１１や図１２に示すような表示を行うことによれば、上述した照明装置１０の傾きの調整作業が行い易くなる。
【００５６】
即ち、図１１（Ａ）は、照明装置１０を４本のワイヤで吊り下げた場合の水平調整機構による調整の際に用いられる表示画面の一例を示しており、ここでは、投射型映像表示ユニット１００から表示面６１上に投射した画像の四隅に、天板５０００に取り付けた上述したワイヤの調整機構である摘み（ボタン）ａｄｊＡ、ａｄｊＢ、ａｄｊＣ、ａｄｊＤに対応させて、投射画像の頂点Ａ、Ｂ、Ｃ、Ｄが表示される。かかる表示を調整時に同時に行うことによれば、作業者は、摘み（ボタン）を回転することによって変化する投射画像の位置（頂点）を容易に把握することができることから、調整作業を行い易くなる。
【００５７】
なお、その際、それらの摘み（ボタン）に対応する頂点の位置だけではなく、更には、図１２にも示すように、摘み（ボタン）の回転方向とそれに伴う頂点の移動方向を矢印等によって表示することによれば、作業者は、より直感的に、必要な摘み（ボタン）の回転方向を把握できることとなり、機器の設置が便利になる。なお、この図示の例では、特に、上記図１１（Ａ）に示した頂点Ｄにおける表示の一例を示しており、ここでは、丸い矢印で摘み（ボタン）の回転方向を示すと共に、それに伴う頂点Ｄの移動方向については、白抜の矢印で示している。
【００５８】
更に、図１１（Ｂ）は、照明装置１０を３本のワイヤで吊り下げた場合の水平調整機構による調整の際に用いられる表示画面の一例を示している。これによっても、上記と同様に、摘み（ボタン）と移動する頂点との間の対応関係が容易に把握するとが可能となるという効果が得られ、更には、この場合にも、上述した図１２にも示したような表示を同時に行うことによれば、作業者にとってより好適な調整作業に好適な作業ガイド情報が得られることとなる。
【００５９】
また、図１３には、上述した摘み（ボタン）を図示しないモータ等によって回転させることによって水平調整機構による調整を自動化した場合に適用可能な表示画面の一例を示す。図１３（Ａ）において、各摘み（ボタン）ａｄｊＡ、ａｄｊＢ、ａｄｊＣ、ａｄｊＤには、ここでは図示しないモータ等の回転駆動部等が連結されており、更に、赤、緑、青、黄の４色が予め割り当てられる。そして、図１３（Ｂ）に示すように、水平調整機構による調整を行う際には、上述した摘み（ボタン）ａｄｊＡ、ａｄｊＢ、ａｄｊＣ、ａｄｊＤに対応した赤、緑、青、黄の４色が、投射画像の各頂点の近傍に表示される。一方、例えば、リモコンや壁などに取り付けた操作パネル７０には、図１３（Ｃ）に示すように、上記赤、緑、青、黄の４色に対応した選択ボタン５０１１〜５０１４と、照明装置１０の調整の方向を示す上下の矢印５０１５、５０１６が設けられている。
【００６０】
そこで、調整を行う作業者は、図１３（Ｂ）に示す投射画像を観察しながら、どの頂点を移動すべきかを、図１３（Ｃ）に示した操作パネル７０上で、対応する色で示された選択ボタン５０１１〜５０１４を選択することにより決定する。その後、移動すべき方向に従って、上記上下の矢印５０１５、５０１６の何れか一方を押す。これにより、上述した水平調整機構による調整を、操作パネル７０のボタンを操作するだけの容易な作業で可能となる。なお、以上に述べた例では、図１３（Ｃ）に示すような操作ボタンを備えた操作パネル７０を利用するものとして説明したが、しかしながら、本発明はこれに限定されることなく、例えば、リモコンや図１３（Ｃ）に示すような操作ボタンを備えた操作パネルを、投射型映像表示ユニット１００によって投射される画像の一部として表示することによっても実現可能であることは、当業者にとっては明らかであろう。
【００６１】
なお、上述した実施の形態では、３本または４本のワイヤによって照明装置１０を吊り下げた場合の水平調整機構について詳述した。しかしながら、これに加え、当該照明装置１０の回転位置を調整する必要性も考えられるが、ここでは図示しないが、上述した天板５０００に回転可能な機構を取り付けること等によって、照明装置１０の回転位置をも含めて調整可能とすることもできる。
【００６２】
＜インタラクティブ機能を利用した調整＞
更に、上述した照明装置１０の水平調整機構のインタラクティブ機能を利用した調整について、特に、カメラを搭載した例について以下に図１４を参照しながら述べる。なお、図１４は、上記図３に詳細に示した照明装置１００の構成要件のうち、インタラクティブ機能を利用した調整に必要なものを含めて抽出しまたは追加して示したものである。
【００６３】
なお、ここでそのための構成とは、図１４にも示すように、リムーバブル記録媒体１７０１Ａ、リムーバブル記録媒体１７０１Ａを挿入するリムーバブル記録媒体スロット１７０１Ｂ、リムーバブル記録媒体制御部（リムーバブル記録媒体ＩＦ）１７０２、マイコン１７０３（図３の制御部１１０に対応）、メモリ１７０４（図３のメモリ１０９や不揮発性メモリ１０８に対応）、照明部１７０８（図３の照明ユニット２００に対応）、ＬＥＤドライバ１７０９（図３の発光素子ドライバＡ２１０、Ｂ２２０に対応）、ＬＥＤ照明１７１０（図３の発光素子Ａ１〜Ｂm２１１〜２２３に対応）、プロジェクタ部１７１１（図３の投射型映像表示ユニット１００に対応）、パネルドライバ１７１２（図３の表示素子駆動部１０３に対応）、パネル１７１３（図３の表示素子１０２に対応）、投射光学系１７１４（図３の投射光学系１０１に対応）、照明光学系１７１５（図３の照明光学系１０４に対応）、光源１７１６（図３の光源１０５に対応）、光源駆動部１７１７（図３の表示素子駆動部１０３に対応）を備えている。
【００６４】
かかる構成によれば、操作者は、例えば自己のパーソナルコンピュータ（ＰＣ）１７２０Ａまたはスマートフォンやタブレット端末１７２０Ｂにより（ＰＣまたはスマートフォンやタブレット端末側の操作）、メッセージとして表示すべきコンテンツ（以下に示す）を作成し、その後、作成したコンテンツを上記リムーバブル記録媒体１７０１Ａ上にコピーする。このことによれば、例えば、以下の図１６や図１８に示すような表示情報を予め編集し、照明装置１０の投射型映像表示ユニット１００をＯＮ状態で表示面６１上に表示することができる。
【００６５】
また、図１４では、更に、インタラクティブ機能を実現するための構成を示しており、そのための構成として、ユーザのタッチ操作やジェスチャ操作を検出するための操作検出センサー２２０１を構成している。なお、この操作検出センサー２２０１は、図１５にも示すように、照明装置１０の一部（具体的には、その底部をなす拡散板１２の一部）に取り付けられたカメラを含んでおり、これにより、表示面６１上の上方からの見た映像を取り込むことができる。また、当該操作検出センサー２２０１により検出されたタッチ操作がマイコン１７０３へ入力される。
【００６６】
更に、マイコン１７０３からの出力が入力される音声処理部２４０５、音声処理部２４０５からの音声信号を音に変換して出力するスピーカー２４０６をも備えている。また、図１４からも明らかなように、本実施の形態では、マイコン１７０３からは、キーストーン調整信号がプロジェクタ部１７１１のパネルドライバ１７１２へ出力されると共に、色温度調整信号、ＯＮ／ＯＦＦ、明るさ調整信号が照明部１７０８のＬＥＤドライバ１７０９へも出力されている。
【００６７】
続いて、上述したインタラクティブ機能を利用した照明装置１０の水平調整機構の調整プロセスについて、図１６を参照しながら以下に詳述する。
【００６８】
まず、上記の操作検出センサー２２０１を構成するカメラにより表示面６１上に投射された画面を検出し、マイコン１７０３等により画像処理等によって画面の外枠の歪みの有無を判定する。その結果、画面外枠の歪みを検出した場合には、図１６（Ａ）にも示すように、投射画面上にそのことを示す表示、本例では、「ＮＧ」を点滅しながら表示すると同時に、「ａｄｊＤボタンを時計回りに回して下さい」等の操作指示を投射する。操作者は、この指示に従って調整を行い（但し、ここでは、上記図１３（Ｃ）に示した「黄」ボタン５０１３と下向きの白抜き矢印を押すものと仮定する）、その結果、図の左辺が概ね正しい位置に来た場合、図１６（Ｂ）にも示すように、「ＯＫ」の表示を点滅しながら表示する。その後、未だ調整すべき辺がある場合には（本例では、右辺と下辺）、再び、「ＮＧ」を点滅しながら表示すると同時に、調整が必要なボタンを決定し（この場合、ａｄｊＣボタン）、図１６（Ｃ）にも示すように、「ａｄｊＣボタンを時計回りに回して下さい」等の操作指示を投射する。操作者は、この指示に従って調整を行う（図１３の例では、「青」ボタン５０１４と下向きの白抜き矢印５０１６を押す）。
【００６９】
上述した指示に従って操作者が調整を行った結果、表示面６１上に投射された画像の外枠の歪みは消え（即ち、概ね本来の長方形になった）と判定された場合には、図１６（Ｄ）にも示すように、「ＯＫ」と共に「調整終了」等の指示を投射して調整の終了を操作者に知らせる。
【００７０】
なお、以上では、インタラクティブ機能を利用した調整について、照明装置１０を４本のワイヤにより天井から吊り下げた場合に基づいて説明したが、しかしながら、本発明はかかる構成にのみ限定されることなく、既述の図９にも示したように、照明装置１０を３本のワイヤにより天井から吊り下げた場合においても、上記と同様に、インタラクティブ機能を利用した調整を実現することができることは、当業者であれば明らかであろう。
【００７１】
また、上記では、カメラからの画像処理により画像の形状（歪み）を判断し、必要な調整作業の指示を投射面上に表示する例について述べたが、更に、ワイヤ長の調整を、例えば、モータを利用した機構により自動化することなどによれば、上述した調整のプロセスを自動化することも可能であろう。
【００７２】
また、図１７（Ａ）および（Ｂ）に示すように、照明装置１０の天板５０００の上に、更に、当該天板に対して回転位置（回転角度方向）が調整可能な回転盤５０３３を取り付け、当該回転盤５０３３に天井から延びた３本または４本のワイヤを取り付けることによれば、上述した照明装置の水平調整（投射画像の歪調整）に加えて、投射画像の回転位置の調整も可能となる。なお、ここでは、照明装置１０を３本のワイヤにより天井から吊り下げた場合についてのみ述べたが、４本のワイヤによる場合にも同様であることは明らかであろう。また、照明装置１０の天板５０００と上記回転盤５０３３との回転位置の調整は、手動で行ってもよく、または、例えばモータ等を利用して自動で行ってもよい。
【００７３】
続いて、図１８（Ａ）および（Ｂ）には、上述した回転盤５０３３による回転機構により投射画像の回転位置の調整を行う例を示す。なお、この例は、上記図１６にも示したインタラクティブ機能を利用した調整の例である。
【００７４】
例えば、上述した照明装置の水平調整（投射画像の歪調整）の完了後、照明装置１０の投射型映像表示ユニット１００からの投射画像の平行度を、本例では床板５０３２の木目（図の水平方向）に並行に配置されたテーブル（表示面）６１に対して合わせる（一致させる）場合、図１８（Ａ）にも示すように、例えば、「ＮＧ」を点滅しながら表示すると同時に、「回転盤を回して調整してください」等の操作指示を投射する。また、このとき、投射画像とテーブル（表示面）６１との角度のずれ「Δθ」をも表示することによれば、操作者にとっては好都合であろう。
【００７５】
上述した指示に従って操作者が回転角度を調整た結果、投射画像の平行度（配置方向）がテーブルと概ね一致すると、図１８（Ｂ）にも示すように、「ＯＫ」を点滅しながら表示すると同時に、「調整終了」の表示を投射する。なお、ここでも、インタラクティブ機能を利用した調整だけではなく、更には、モータ等を利用した機構により自動化することも可能である。
【００７６】
また、上述したインタラクティブ機能を利用した水平調整機構では、投射画像の歪や回転角のずれを検知するための手段としてカメラを採用した例について述べたが、その他には、重力センサー、例えば、ＭＥＭＳ加速度センサーを利用することも可能である。
【００７７】
このＭＥＭＳ加速度センサーは、図１９（Ａ）に示すように、Ａｘ、Ａｙ、Ａｚの３軸方向の加速度をアナログ電圧で出力し、その出力電圧からセンサーの傾きを検出可能である。、図１９（Ｂ）に示すように、照明装置１０へ加速度センサーを搭載することで、Ａｘ，Ａｙ方向の出力電圧から照明装置１０の傾きを検出可能である。
【００７８】
なお、インタラクティブ機能を利用した水平調整機構に上記の重力センサーを採用した場合における表示の一例を、図２０および図２１に示す。
【００７９】
図２０（Ａ）および（Ｂ）の例では、上記図１１や図１２とほぼ同様に、重力センサーにより照明装置１０を含めた投射型映像表示ユニット１００の傾きを検知して調整が必要な個所を判定し、その場所に表示する矢印を色付け（例えば、黄色：但し、図ではメッシュ表示）して表示する（なお、調整が必要ない個所の矢印は白色）。そして、調整が完了すると、白色となる。この例では、下辺の両端のＣ’とＤ’の矢印が色付け（黄色）して表示される。
【００８０】
また、図２１（Ａ）および（Ｂ）の例では、更に、投射画面の中央部に、所謂、水準器７００のイメージを表示したものである。即ち、図の略中央部に示された小さな「○」は水準器内の気泡７１０を表しており、この気泡７１０は、照明装置１０を含めた投射型映像表示ユニット１００が平行になるに従って、図中の矢印で示すように、水準器７００の中央部に移動する。なお、ここでは、気泡７１０が、調整基準となる内側の枠７２０の内部に入れば調整が完了したものとしている。
【００８１】
＜照明装置の取り付け（吊り下げ）構造＞
続いて、上記に内部構造を含めてその詳細を述べた照明装置１０を天井に、上述したように、水平に調整可能に取り付ける（吊り下げる）ための構造について、添付の図面を参照しながら、以下に説明する。
【００８２】
図２２は、所謂、３点止め構造の一例を示している。また、図２３（Ａ）および（Ｂ）は、上記図２２に示した３点止め構造の正面図と側面図をそれぞれ示している。これらの図からも明らかなように、照明装置１０の天板５０００（上記図を参照）の３か所には、それぞれ、ワイヤ５０４１〜５０４３の下端が固定されており、他方、これら３本のワイヤの他の端（上端）は、天井面に設けられる照明用の商用電源（例えば、照明器具用のコンセント：ここでは図示しない）に取り付けられる外形が椀状の取付け部材５５００に固定されている。なお、図中の参照符号５６００は、上記の照明装置１０に必要な電力を供給し、または、必要な制御信号をも含めて伝送するためのケーブルを示している。また、図中の符号５０６０は、以下に詳細に述べる長さ調整部材を示す。
【００８３】
更に、図２４は、上述の構造を構成する部材であるワイヤ（例えば、ワイヤ５０４１）の一部を拡大して示した一部拡大断面を示している。図からも明らかなように、当該ワイヤ５０４１は、２本のワイヤ５０４１−１、５０４１−２に分かれており、それらの先端部分には、それぞれ、ネジ溝５０５０−１、５０５０−２が形成されている。そして、これら２本のワイヤ５０４１−１、５０４１−２の先端部は、ナット状の長さ調整部材５０６０の内部に挿入され、その内周面に形成されたネジ溝５０６１−１、５０６１−２に螺合している。
【００８４】
より詳細には、例えば、上記ワイヤ５０４１−１の先端部に形成されたネジ溝５０５０−１と、当該先端が螺合される調整部材５０６０のネジ溝５０６１−１（図の左側）は、例えば、右ねじを形成しており、他方、上記ワイヤ５０４１−２の先端部に形成されたネジ溝５０５０−２と、当該先端が螺合される調整部材５０６０のネジ溝５０６１−２（図の右側）は、左ねじを形成している。かかる構成によれば、図に矢印で示すように、上記調整部材５０６０を反時計方向Ａに回転することにより、２本のワイヤ５０４１−１、５０４１−２は互いに近接する方向Ａに移動し、これとは反対に、時計方向Ｂに回転することによれば、２本のワイヤ５０４１−１、５０４１−２は互いに離反する方向Ｂに移動する。このことから、ワイヤ５０４１の全体の長さを調節することが可能となる。
【００８５】
なお、上記の例では、椀状の取付け部材５５００からは、３本のワイヤをそれぞれ下方に延びて取り付ける３点止め構造について述べたが、これに替えて、図２５、および、図２６（Ａ）および（Ｂ）に示すように、椀状の取付け部材５５００から延びた２本のワイヤにより上述した３点止め構造を実現することも可能である。なお、この場合には、例えば、２本のワイヤ５０４２、５０４３を、その上部を１本に纏め、全体として「Ｙ」字状に形成したワイヤとする。更に、ここでは、残りの１本のワイヤ５０４１には上記した調整部材５０６０を取り付けず、他方、残りの２本のワイヤ５０４２、５０４３には、それら上部の１本のワイヤに纏めた部分に調整部材５０６０を取り付けると共に、それら２本のワイヤの分岐した一方（本例では、ワイヤ５０４３）に調整部材５０６０を取り付ける。本例では、椀状の取付け部材５５００には２本のワイヤだけを取り付けることから、特に、当該取付け部材が小さな寸法である場合等に好適であろう。
【００８６】
即ち、かかる構成によっても、上述したと同様にして、照明装置１０の３点止め構造を実現することができる。なお、このような構成では、上記図９および図１１（Ｂ）に示した３点止め構成のための投射画像においては、頂点Ａがワイヤ５０４１に対応し、他の頂点Ｅ、Ｆが他のワイヤ５０４２、５０４３に対応するものとして設定すればよい。
【００８７】
このように、照明装置１０を天井に取り付ける（吊り下げる）ための構造として上述した３点止め構造を採用することによれば、ワイヤの本数や調整部材の数を低減してより経済的なお構造とすることが可能となる。しかしながら、本発明はこれに限定されることなく、上記でも述べた４本のワイヤによる４点止め構造も同様に採用可能であることは当業者であれば自明であろう。なお、その場合には、上記図２４に示した長さ調整部材５０６０を含む４本のワイヤ５０４１〜５０４４の下端を、上記図５にも示したように、照明装置１０天板５０００の４か所に取り付けて、その上端を取付け部材５５００に固定する。
【００８８】
更には、図２７に示すように、２本のワイヤの上部を１本に纏めて全体として「Ｙ」字状に形成した（上記図２５を参照）ワイヤを２本利用することによって、照明装置１０の４点止め構造を実現することができる。なお、上述した３点止め構造をも含めて、照明装置を吊り下げた際の安定性を考慮すれば、当該照明装置の重心Ｇが、ワイヤが天板５０００上に固定された３つの点、または、４つの点によって規定される、三角形、または、四角形の領域（図２７に斜線部で示す）の内部に存在するように設定されることが好ましく、その場合、特に、４点止め構造によれば、当該領域をより大きく設定することができることから好ましいであろう。
【００８９】
加えて、図２８（Ａ）および（Ｂ）に示すように、３本のワイヤ５０４１〜５０４３の下端が固定された３つの部材５０５１〜５０５３を保持するアーム５０５５〜５０５７は、回転盤５０３３により所定の位置に保持される。回転盤５０３３はその中心に回転軸を有し、天板５０００を回転可能に保持する。天板５０００上には回転軸を有するカム５０５４が設けられ、アーム５０５６上に設けられたストッパー５０５８-1および５０５８−２により回転位置を規制される。図２８（Ａ）では、カム５０５４はストッパー５０５８−１と当接している。カム５０５４をストッパー５０５８−２の方向へ回転させると、天板５０００も回転する。図２８（Ｂ）に示すように、カム５０５４がストッパー５０５８−２と当接すると、天板５０００は約９０度回転したことになる。カム５０５４を回転軸周りに回転することにより天板５０００の回転角の微調整が可能であり、投射面に対して最適な配置を得ることができる。本実施例ではストッパー５０５８−１および５０５８−２内にマグネットを有しカム５０５４を磁力により吸着することで天板５０００の位置を定めている。
【００９０】
また、ここでは図示しないが、照明装置を吊り下げるワイヤの一部に上記図２４に示した長さ調整部材５０６０を取り付けることに替えて、例えば、モータ等を利用した巻上部をワイヤの端部に取り付けることによれば、上述した手動の長さ調整を自動化することも可能となる。更に、上記図１７や図２８にも述べた照明装置１０の天板５０００と回転盤５０３３との間に、その間の回転角度を調整するための機構として、例えば、モータやラック・ピニオン機構などを利用することによれば、やはり、自動化できることは、当業者であれば自明であろう。
【００９１】
以上、本発明の種々の実施例になる映像投射機能付き照明装置について述べた。しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能であろう。
【符号の説明】
【００９２】
１０…照明装置、１００…投射型映像表示ユニット、２００…照明ユニット、６１…表示面、５０００…天板、５０２１〜５０２４…ワイヤ、５０３３…回転盤、５０６０…調整部材、５５００…取付け部材。
【図１】
2017085800.tif 000003
【図２】
2017085800.tif 000004
【図３】
2017085800.tif 000005
【図４】
2017085800.tif 000006
【図５】
2017085800.tif 000007
【図６】
2017085800.tif 000008
【図７】
2017085800.tif 000009
【図８】
2017085800.tif 000010
【図９】
2017085800.tif 000011
【図１０】
2017085800.tif 000012
【図１１】
2017085800.tif 000013
【図１２】
2017085800.tif 000014
【図１３】
2017085800.tif 000015
【図１４】
2017085800.tif 000016
【図１５】
2017085800.tif 000017
【図１６】
2017085800.tif 000018
【図１７】
2017085800.tif 000019
【図１８】
2017085800.tif 000020
【図１９】
2017085800.tif 000021
【図２０】
2017085800.tif 000022
【図２１】
2017085800.tif 000023
【図２２】
2017085800.tif 000024
【図２３】
2017085800.tif 000025
【図２４】
2017085800.tif 000026
【図２５】
2017085800.tif 000027
【図２６】
2017085800.tif 000028
【図２７】
2017085800.tif 000029
【図２８】
2017085800.tif 000030
【国際調査報告】
2017085800.tif 000031
2017085800.tif 000032